(57)【要約】【課題】  非操作状態と操作状態において操作レバーの被操作部に対する適正な状態を確保し操作感度の向上を図る。【解決手段】  静電容量方式によって操作される被操作部が形成されたタッチパネルを有する電子機器を内部に保持するケース体と、ケース体に移動自在に支持されケース体の外部から操作が可能な操作釦と、結合部を有すると共に操作釦に連結され操作釦の操作に伴ってケース体の内部において移動される連結バーと、被操作部に対向して位置される操作面が形成された接触操作部を有し操作面が被操作部に接触されて被操作部を操作する操作レバーとを設け、操作釦の操作に伴う連結バーの移動に伴って操作レバーが動作されて接触操作部が被操作部に対して離接する方向へ移動され、接触操作部の一部が離接する方向に直交する方向において結合部に嵌合された。【選択図】        図１３
2012252279.tif 000002
【特許請求の範囲】
【請求項１】
静電容量方式によって操作される被操作部が形成されたタッチパネルを有する電子機器を内部に保持するケース体と、
前記ケース体に移動自在に支持され前記ケース体の外部から操作が可能な操作釦と、
結合部を有すると共に前記操作釦に連結され前記操作釦の操作に伴って前記ケース体の内部において移動される連結バーと、
前記被操作部に対向して位置される操作面が形成された接触操作部を有し前記操作面が前記被操作部に接触されて前記被操作部を操作する操作レバーとを備え、
前記操作釦の操作に伴う前記連結バーの移動に伴って前記操作レバーが動作されて前記接触操作部が前記被操作部に対して離接する方向へ移動され、
前記接触操作部の一部が前記離接する方向に直交する方向において前記結合部に嵌合された
防水ケース。
【請求項２】
前記連結バーに結合用突部又は結合孔の一方が形成され、
前記操作レバーに前記結合用突部又は前記結合孔の他方が形成され、
前記結合用突部が前記結合孔に挿入されて前記操作レバーの前記連結バーに対する前記離接する方向に直交する方向における位置が規制されるようにした
請求項１に記載の防水ケース。
【請求項３】
前記操作釦に付勢バネが支持され、
前記付勢バネの付勢力が前記連結バーに伝達され、
前記操作釦が操作されない非操作状態において前記連結バーが前記付勢バネの付勢力によって前記ケース体の内面に押し付けられるようにした
請求項２に記載の防水ケース。
【請求項４】
前記連結バーの結合部に前記接触操作部を外周側から囲って前記結合部に対する前記接触操作部の位置を規制する囲い壁を設けた
請求項１に記載の防水ケース。
【請求項５】
前記連結バーが前記離接する方向に直交する方向に延びる形状に形成され、
前記連結バーの長手方向における一端部が前記操作釦に連結され、
前記連結バーの長手方向における他端部に前記結合部が設けられ、
前記接触操作部の操作面が前記他端部から前記一端部に近付くに従って前記被操作部との距離が大きくなる傾斜面に形成された
請求項１に記載の防水ケース。
【請求項６】
前記接触操作部の操作面の大きさが前記被操作部の大きさと略同じにされた
請求項１に記載の防水ケース。
【請求項７】
前記操作レバーが弾性変形されて前記接触操作部が前記離接する方向へ移動されるようにした
請求項１に記載の防水ケース。
【請求項８】
前記電子機器の外周部を押さえる保持枠部が設けられ、
前記保持枠部と前記操作レバーが一体に形成された
請求項１に記載の防水ケース。
【請求項９】
前記電子機器の内部に接地回路に接続されたアース板が配置され、
前記操作レバーに、前記アース板に対向する位置において前記電子機器の外面に接触される機器接触部を設けた
請求項１に記載の防水ケース。
【請求項１０】
前記機器接触部における前記電子機器の外面に接触される面と反対の面側に空間を形成した
請求項９に記載の防水ケース。
【請求項１１】
前記操作レバーが弾性変形されて前記接触操作部が前記離接する方向へ移動され、
前記接触操作部と前記機器接触部の間に前記操作レバーの変形支点として機能するヒンジ部を設けた
請求項９に記載の防水ケース。
【発明の詳細な説明】
【技術分野】
【０００１】
本技術は防水ケースについての技術分野に関する。詳しくは、操作釦に連結された連結バーに設けられた結合部に操作レバーを所定の方向から嵌合することにより結合して操作感度の向上を図る技術分野に関する。
【背景技術】
【０００２】
電子機器を内部において保持して水中等における電子機器の使用を可能にする防水ケースがある。例えば、電子機器としてカメラが防水ケースの内部に保持されたときには、カメラによる水中撮影等が防水ケースの外側からの操作によって可能とされる。
【０００３】
このような防水ケースには、電子機器を内部に保持するケース体とケース体の外部から操作が可能な操作釦と操作釦の操作に伴ってケース体の内部において移動される連結バー（アーム）と連結バーの移動に伴って動作されて電子機器の被操作部を操作する操作レバーとを有しているものがある（例えば、特許文献１参照）。
【０００４】
特許文献１に記載された防水ケースにおいては、操作釦に押圧操作される被押圧部と被押圧部からケース体の内部に突出された連結軸とが設けられ、連結軸の先端部に連結バーの一端部が連結されている。操作レバーは連結バーの他端部に取り付けられ、先端に近付くに従って径が小さくなる形状に形成されている。
【０００５】
特許文献１に記載された防水ケースにおいて、操作釦の被押圧部が押圧操作されると、操作レバーが連結バーを介して操作釦に伴って電子機器の被操作部に接する方向へ移動され、操作レバーが被操作部に接触されることによりタッチパネルの被操作部が操作されて、例えば、モード変更等の所定の処理が実行される。
【０００６】
【特許文献１】特開２００９−３７１３６号公報
【発明の開示】
【発明が解決しようとする課題】
【０００７】
ところで、電子機器に設けられたタッチパネルには、被操作部の操作方式として、例えば、抵抗膜方式や静電容量方式等がある。
【０００８】
抵抗膜方式は、被操作部のガラス面やフィルム面に電圧を加え被操作部の導通により位置検出を行うことにより操作が行われる方式である。
【０００９】
静電容量方式は、タッチパネルの被操作部に電界を形成し、操作された部分の静電容量の変化を検出して位置検出を行うことにより操作が行われる方式である。静電容量方式が用いられた電子機器にあっては、操作部（操作釦）の被操作部に対する接触面積が小さいと静電容量の変化が検出され難いため、静電容量の変化を検出して位置検出を行うために操作部の被操作部に対する接触面積が大きいことが望ましい。
【００１０】
特許文献１に記載された防水ケースにあっては、操作レバーが先端に近付くに従って径が小さくなる形状に形成されており、操作レバーの被操作部に対する接触面積が小さく、静電容量方式によるタッチパネルには適さない構造である。
【００１１】
また、静電容量方式においては、静電容量の変化を検出する必要があり、操作感度の向上を図るために、非操作状態において操作レバーが被操作部から一定の距離をとって離隔した状態で保持されることが望ましい。
【００１２】
そこで、本技術防水ケースは、上記した問題点を克服し、非操作状態と操作状態において操作レバーの被操作部に対する適正な状態を確保し操作感度の向上を図ることを課題とする。
【課題を解決するための手段】
【００１３】
第１に、防水ケースは、上記した課題を解決するために、静電容量方式によって操作される被操作部が形成されたタッチパネルを有する電子機器を内部に保持するケース体と、前記ケース体に移動自在に支持され前記ケース体の外部から操作が可能な操作釦と、結合部を有すると共に前記操作釦に連結され前記操作釦の操作に伴って前記ケース体の内部において移動される連結バーと、前記被操作部に対向して位置される操作面が形成された接触操作部を有し前記操作面が前記被操作部に接触されて前記被操作部を操作する操作レバーとを備え、前記操作釦の操作に伴う前記連結バーの移動に伴って前記操作レバーが動作されて前記接触操作部が前記被操作部に対して離接する方向へ移動され、前記接触操作部の一部が前記離接する方向に直交する方向において前記結合部に嵌合されたものである。
【００１４】
従って、防水ケースにあっては、非操作状態において操作レバーが被操作部から一定の距離をとって離隔した状態で保持され、操作状態において操作レバーが被操作部に面接触される。
【００１５】
第２に、上記した防水ケースにおいては、前記連結バーに結合用突部又は結合孔の一方が形成され、前記操作レバーに前記結合用突部又は前記結合孔の他方が形成され、前記結合用突部が前記結合孔に挿入されて前記操作レバーの前記連結バーに対する前記離接する方向に直交する方向における位置が規制されるようにすることが望ましい。
【００１６】
結合用突部が結合孔に挿入されて操作レバーの連結バーに対する離接する方向に直交する方向における位置が規制されるようにすることにより、接触操作部の被操作部に対する離接する方向に直交する方向における位置精度が高くなる。
【００１７】
第３に、上記した防水ケースにおいては、前記操作釦に付勢バネが支持され、前記付勢バネの付勢力が前記連結バーに伝達され、前記操作釦が操作されない非操作状態において前記連結バーが前記付勢バネの付勢力によって前記ケース体の内面に押し付けられるようにすることが望ましい。
【００１８】
操作釦が操作されない非操作状態において連結バーが付勢バネの付勢力によってケース体の内面に押し付けられるようにすることにより、連結バーに結合された接触操作部の上記した離接する方向における位置精度が高くなる。
【００１９】
第４に、上記した防水ケースにおいては、前記連結バーの結合部に前記接触操作部を外周側から囲って前記結合部に対する前記接触操作部の位置を規制する囲い壁を設けることが望ましい。
【００２０】
連結バーの結合部に接触操作部を外周側から囲って結合部に対する接触操作部の位置を規制する囲い壁を設けることにより、接触操作部の被操作部に対する離接する方向に直交する方向における位置精度が高くなる。
【００２１】
第５に、上記した防水ケースにおいては、前記連結バーが前記離接する方向に直交する方向に延びる形状に形成され、前記連結バーの長手方向における一端部が前記操作釦に連結され、前記連結バーの長手方向における他端部に前記結合部が設けられ、前記接触操作部の操作面が前記他端部から前記一端部に近付くに従って前記被操作部との距離が大きくなる傾斜面に形成されることが望ましい。
【００２２】
連結バーの長手方向における他端部に結合部が設けられ、接触操作部の操作面が他端部から一端部に近付くに従って被操作部との距離が大きくなる傾斜面に形成されることにより、接触操作部の操作面が他端部から一端部に近付くに従って被操作部との距離が大きくなる。
【００２３】
第６に、上記した防水ケースにおいては、前記接触操作部の操作面の大きさが前記被操作部の大きさと略同じにされることが望ましい。
【００２４】
接触操作部の操作面の大きさが被操作部の大きさと略同じにされることにより、接触操作部の操作面の被操作部に対する接触面積が大きくなる。
【００２５】
第７に、上記した防水ケースにおいては、前記操作レバーが弾性変形されて前記接触操作部が前記離接する方向へ移動されることが望ましい。
【００２６】
操作レバーが弾性変形されて接触操作部が離接する方向へ移動されることにより、操作レバーが弾性変形されて被操作部が接触操作部によって操作される。
【００２７】
第８に、上記した防水ケースにおいては、前記電子機器の外周部を押さえる保持枠部が設けられ、前記保持枠部と前記操作レバーが一体に形成されることが望ましい。
【００２８】
電子機器の外周部を押さえる保持枠部が設けられ、保持枠部と操作レバーが一体に形成されることにより、保持枠部と操作レバーが一つの部材の各一部として構成される。
【００２９】
第９に、上記した防水ケースにおいては、前記電子機器の内部に接地回路に接続されたアース板が配置され、前記操作レバーに、前記アース板に対向する位置において前記電子機器の外面に接触される機器接触部を設けることが望ましい。
【００３０】
電子機器の内部に接地回路に接続されたアース板が配置され、操作レバーに、アース板に対向する位置において電子機器の外面に接触される機器接触部を設けることにより、被操作部に対する操作時に静電容量の変化の検出精度が向上する。
【００３１】
第１０に、上記した防水ケースにおいては、前記機器接触部における前記電子機器の外面に接触される面と反対の面側に空間を形成することが望ましい。
【００３２】
機器接触部における電子機器の外面に接触される面と反対の面側に空間を形成することにより、機器接触部の動きが他の部材によって規制されず、機器接触部によって接触操作部の動作に影響が及ぼされない。
【００３３】
第１１に、上記した防水ケースにおいては、前記操作レバーが弾性変形されて前記接触操作部が前記離接する方向へ移動され、前記接触操作部と前記機器接触部の間に前記操作レバーの変形支点として機能するヒンジ部を設けることが望ましい。
【００３４】
操作レバーが弾性変形されて接触操作部が離接する方向へ移動され、接触操作部と機器接触部の間に操作レバーの変形支点として機能するヒンジ部を設けることにより、接触操作部の動作に対して機器接触部が影響を及ぼさない。
【発明の効果】
【００３５】
本技術防水ケースは、静電容量方式によって操作される被操作部が形成されたタッチパネルを有する電子機器を内部に保持するケース体と、前記ケース体に移動自在に支持され前記ケース体の外部から操作が可能な操作釦と、結合部を有すると共に前記操作釦に連結され前記操作釦の操作に伴って前記ケース体の内部において移動される連結バーと、前記被操作部に対向して位置される操作面が形成された接触操作部を有し前記操作面が前記被操作部に接触されて前記被操作部を操作する操作レバーとを備え、前記操作釦の操作に伴う前記連結バーの移動に伴って前記操作レバーが動作されて前記接触操作部が前記被操作部に対して離接する方向へ移動され、前記接触操作部の一部が前記離接する方向に直交する方向において前記結合部に嵌合されている。
【００３６】
従って、被操作部に操作面が面接触されて操作されると共に接触操作部の離接する方向における位置精度が高くなり、操作感度の向上を図ることができる。
【００３７】
請求項２に記載した技術にあっては、前記連結バーに結合用突部又は結合孔の一方が形成され、前記操作レバーに前記結合用突部又は前記結合孔の他方が形成され、前記結合用突部が前記結合孔に挿入されて前記操作レバーの前記連結バーに対する前記離接する方向に直交する方向における位置が規制されるようにしている。
【００３８】
従って、接触操作部の被操作部に対する離接する方向に直交する方向における位置精度が高くなり、接触操作部の操作面が被操作部に確実に接触され、操作感度の一層の向上を図ることができる。
【００３９】
請求項３に記載した技術にあっては、前記操作釦に付勢バネが支持され、前記付勢バネの付勢力が前記連結バーに伝達され、前記操作釦が操作されない非操作状態において前記連結バーが前記付勢バネの付勢力によって前記ケース体の内面に押し付けられるようにしている。
【００４０】
従って、連結バーに結合された接触操作部の前記離接する方向における位置精度が高く、接触操作部によって被操作部が操作されたときの静電容量の変化を検出し易く、操作感度の向上を図ることができる。
【００４１】
請求項４に記載した技術にあっては、前記連結バーの結合部に前記接触操作部を外周側から囲って前記結合部に対する前記接触操作部の位置を規制する囲い壁を設けている。
【００４２】
従って、接触操作部の被操作部に対する離接する方向に直交する方向における位置精度が一層高くなり、接触操作部の操作面が被操作部に確実に接触され、操作感度の一層の向上を図ることができる。
【００４３】
請求項５に記載した技術にあっては、前記連結バーが前記離接する方向に直交する方向に延びる形状に形成され、前記連結バーの長手方向における一端部が前記操作釦に連結され、前記連結バーの長手方向における他端部に前記結合部が設けられ、前記接触操作部の操作面が前記他端部から前記一端部に近付くに従って前記被操作部との距離が大きくなる傾斜面に形成されている。
【００４４】
従って、被操作部に対する操作時に操作面が被操作部に確実に面接触され、被操作部の操作を確実に行うことができる。
【００４５】
請求項６に記載した技術にあっては、前記接触操作部の操作面の大きさが前記被操作部の大きさと略同じにされている。
【００４６】
従って、操作感度の向上が図られて接触操作部による被操作部に対する確実な操作性を確保することができる。
【００４７】
請求項７に記載した技術にあっては、前記操作レバーが弾性変形されて前記接触操作部が前記離接する方向へ移動されるようにしている。
【００４８】
従って、簡単な構造により製造コストの低減を図った上で被操作部に対する操作を行うことができる。
【００４９】
請求項８に記載した技術にあっては、前記電子機器の外周部を押さえる保持枠部が設けられ、前記保持枠部と前記操作レバーが一体に形成されている。
【００５０】
従って、保持枠部によって電子機器のケース体の内部でのガタツキが防止されると共に部品点数の削減を図ることができる。
【００５１】
請求項９に記載した技術にあっては、前記電子機器の内部に接地回路に接続されたアース板が配置され、前記操作レバーに、前記アース板に対向する位置において前記電子機器の外面に接触される機器接触部を設けている。
【００５２】
従って、被操作部に対する操作時に静電容量の変化の検出精度が向上するため、被操作部に対する操作時における操作感度の向上を図ることができる。
【００５３】
請求項１０に記載した技術にあっては、前記機器接触部における前記電子機器の外面に接触される面と反対の面側に空間を形成している。
【００５４】
従って、機器接触部によって接触操作部の動作に影響が及ぼされるおそれがないため、操作レバーによる被操作部に対する操作時における動作の信頼性の向上を図ることができる。
【００５５】
請求項１１に記載した技術にあっては、前記操作レバーが弾性変形されて前記接触操作部が前記離接する方向へ移動され、前記接触操作部と前記機器接触部の間に前記操作レバーの変形支点として機能するヒンジ部を設けている。
【００５６】
従って、接触操作部の動作に対して機器接触部が影響を及ぼすことがなく、被操作部に対する操作時における操作レバーの適正な動作状態を確保することができる。
【発明を実施するための最良の形態】
【００５７】
以下に、本技術防水ケースを実施するための最良の形態を添付図面に従って説明する。
【００５８】
以下に示した最良の形態は、本技術防水ケースを、内部にデジタルスチルカメラを保持する防水ケースに適用したものである。
【００５９】
但し、本技術の適用範囲は内部にデジタルスチルカメラを保持する防水ケースに限られることはない。本技術防水ケースは、内部に、例えば、デジタルカメラ以外のビデオカメラ等の画像や映像を撮影する撮像装置、ディスク記録再生装置等の記録媒体を用いる記録再生装置、音声の記録や再生を行う音声記録再生装置、一方向又は双方向の送受信を行うネットワーク通信装置、パーソナルコンピューターやＰＤＡ（Personal Digital Assistant）等の情報処理装置、テレビジョン受像器等に代表される表示装置等の各種の電子機器を保持する防水ケースに広く適用することができる。
【００６０】
以下の説明にあっては、デジタルスチルカメラの撮影時において撮影者から見た方向で前後上下左右の方向を示すものとする。従って、被写体側が前方となり、撮影者側が後方となる。
【００６１】
尚、以下に示す前後上下左右の方向は説明の便宜上のものであり、本技術の実施に関しては、これらの方向に限定されることはない。
【００６２】
［電子機器の概略構成］
先ず、防水ケースの内部に保持される電子機器（デジタルスチルカメラ）の構成について説明する（図１及び図２参照）。
【００６３】
電子機器１００は箱状の外筐１０１と外筐１０１の前面において上下方向へスライド可能な開閉パネル１０２とを有し、外筐１０１の内部には所要の各部が配置されている。
【００６４】
外筐１０１の上面には各種の操作スイッチ１０３、１０３、・・・が配置されている。操作スイッチ１０３、１０３、・・・としては、例えば、電源の投入を行うための電源スイッチ、撮影時に操作されるシャッタースイッチ、ズーミングを行うためのズームスイッチ等が配置されている。
【００６５】
外筐１０１の前面の上端部には撮影時において補助光を照射するためのフラッシュ１０４と被写体の像を取り込むための撮影レンズ１０５とが左右に並んで配置されている。撮影レンズ１０５の後方には図示しない各種のレンズ又はレンズ群が光軸に沿って配置されている。
【００６６】
フラッシュ１０４と撮影レンズ１０５は開閉パネル１０２の上下方向へのスライドによって開閉される。開閉パネル１０２が下方へ移動されてフラッシュ１０４と撮影レンズ１０５が開放されることにより被写体の撮影が可能な状態になり、開閉パネル１０２が上方へ移動されてフラッシュ１０４と撮影レンズ１０５が閉塞されることにより被写体の撮影が不能な状態になる。
【００６７】
外筐１０１の後面側にはディスプレイ１０６が配置されている。ディスプレイ１０６にはタッチパネルが組み込まれ、ディスプレイ１０６の左右両端部に静電容量方式によって操作される被操作部１０６ａ、１０６ａ、・・・が形成されている。被操作部１０６ａ、１０６ａ、・・・が操作されることにより、例えば、スーミング、フラッシュの発光、各種のモードの切替、撮影した画像の再生等が行われるようにされている。
【００６８】
［防水ケースの構成］
次に、電子機器１００が保持される防水ケース１について説明する（図３乃至図１４参照）。
【００６９】
電子機器１００は防水ケース１の内部に保持される（図３参照）。防水ケース１は少なくとも一部が透明材料によって形成されたケース体２の内外に所要の各部が配置されて成る（図３乃至図５参照）。
【００７０】
ケース体２はフロントケース部３とリアパネル４によって構成されている。
【００７１】
フロントケース部３は後方に開口された横長の箱状に形成され、前後方向を向くパネル部５とパネル部５の外周部から後方へ突出された周面部６とから成る。
【００７２】
パネル部５の左端部における上端部は透明材料によって形成された透過窓５ａとして設けられている。パネル部５の透過窓５ａの側方の部分は光透過部５ｂとして設けられ、光透過部５ｂの前面には、例えば、乳白色の材料によって形成された発光用部材７が取り付けられている。
【００７３】
周面部６の上面部には左右に離隔して電源用釦８とシャッター用釦９が配置されている。電源用釦８とシャッター用釦９の各一部は周面部６を貫通され下端部が周面部６の内側に位置されている。
【００７４】
周面部６の上面部には押圧用レバー１０が回動可能に設けられ、押圧用レバー１０は下方に突出された押圧突起１０ａを有している。押圧用レバー１０が押圧されて回動されることにより、シャッター用釦９が押圧突起１０ａに押圧されて操作される。
【００７５】
周面部６の右側面部には右方に開口された切欠部６ａが形成されている。周面部６には切欠部６ａにそれぞれ右方へ突出された係合突部１１、１１とロック突部１２、１２がそれぞれ上下に離隔して設けられている。ロック突部１２、１２は係合突部１１、１１間に位置されている。
【００７６】
周面部６の後端部には後方に開口された挿入用溝６ｂが形成され、挿入用溝６ｂは環状に形成されている。周面部６の左端部には支持突部１３が設けられている。
【００７７】
フロントケース部３には保持ケース１４が挿入されて取り付けられる。保持ケース１４は、例えば、熱可塑性のエラストマーによって形成され、後方に開口された横長の箱状に形成されている。保持ケース１４には複数の透過孔１４ａ、１４ａ、・・・が形成されている。
【００７８】
保持ケース１４はフロントケース部３に後方から挿入され嵌合されることにより取り付けられる。保持ケース１４がフロントケース部３に取り付けられた状態においては、透過孔１４ａ、１４ａがそれぞれ透過窓５ａと光透過部５ｂの真後ろに位置される。
【００７９】
リアパネル４は透明材料によって前方に開口された横長の浅い容器状に形成されている。
【００８０】
尚、リアパネル４の方向の説明については、閉塞された状態（図５参照）において行うこととする。
【００８１】
リアパネル４の外周部には前方へ突出された挿入用突部４ａが設けられ、挿入用突部４ａは環状に形成されている。挿入用突部４ａにはオーリング１５が取り付けられている。
【００８２】
リアパネル４の後面における右端寄りの位置には上下に並んで第１の釦配置部４ｂ、４ｂ、・・・が設けられている。第１の釦配置部４ｂ、４ｂ、・・・にはそれぞれ前後に貫通された軸挿通孔が形成されている。
【００８３】
リアパネル４の上端部には第２の釦配置部４ｃが設けられている。第２の釦配置部４ｃには上下に貫通された軸挿通孔が形成されている。
【００８４】
リアパネル４には挿入用突部４ａの内側に取付用突部４ｄ、４ｄ、・・・が設けられ、取付用突部４ｄ、４ｄ、・・・は周方向に離隔して位置されている。
【００８５】
リアパネル４の左端部には被支持突部１６、１６が上下に離隔して設けられている。リアパネル４は被支持突部１６、１６が支持軸１７を介して支持突部１３に支持され、リアパネル４がフロントケース部３に回動可能に連結される。
【００８６】
リアパネル４の右端部にはバックル１８が回動可能に連結されている。バックル１８には係合部１８ａ、１８ａが上下に離隔して設けられている。バックル１８にはロック部材１９、１９が上下に離隔して設けられ、ロック部材１９、１９は係合部１８ａ、１８ａの間に位置されている。
【００８７】
リアパネル４はフロントケース部３に対して開放位置と閉塞位置の間で回動可能とされ、閉塞位置から開放位置へ向けて回動されたときに挿入用突部４ａとオーリング１５が挿入用溝６ｂに挿入されて開放位置に至る。開放位置において、バックル１８が回動されると、係合部１８ａ、１８ａがそれぞれ係合突部１１、１１に係合され、ロック部材１９、１９がそれぞれロック突部１２、１２に係合されることによりリアパネル４がフロントケース部３に対してロックされる。
【００８８】
閉塞位置においてリアパネル４がフロントケース部３に対してロックされた状態において、挿入用溝６ｂに挿入されたオーリング１５が周面部６に押し付けられて防水が図られ、フロントケース部３とリアパネル４によって形成された内部空間が密閉される。
【００８９】
閉塞位置において、バックル１８に設けられたロック解除釦を操作することによりロック部材１９、１９とロック突部１２、１２の係合状態が解除され、リアパネル４を開放位置へ向けて回動することが可能とされる。
【００９０】
リアパネル４にはそれぞれ第１の釦配置部４ｂ、４ｂ、・・・に配置された第１の操作釦２０、２０、・・・と第２の釦配置部４ｃに配置された第２の操作釦２１とが設けられている（図６乃至図８参照）。
【００９１】
第１の操作釦２０は被押圧部２０ａと被押圧部２０ａから前方へ突出された軸部２０ｂとを有している（図６及び図７参照）。第１の操作釦２０は軸部２０ｂに付勢バネ２２と防水リング２３が支持された状態で軸部２０ｂが第１の釦配置部４ｂに形成された軸挿通孔に挿通される。付勢バネ２２としては、例えば、圧縮コイルバネが用いられている。
【００９２】
第１の操作釦２０は付勢バネ２２によって後方へ付勢されている。また、防水リング２３によって第１の釦配置部４ｂに形成された軸挿通孔からのリアパネル４の内側への水分の侵入が防止されて防水が図られる。
【００９３】
第１の操作釦２０、２０、・・・の軸部２０ｂ、２０ｂ、・・・の先端部（前端部）はそれぞれリアパネル４の内側に位置されており、軸部２０ｂ、２０ｂ、・・・にはそれぞれ第１の連結バー２４、２４、・・・が連結されている。第１の操作釦２０、２０、・・・はそれぞれ軸部２０ｂ、２０ｂ、・・・の先端部にワッシャー２０ｃ、２０ｃ、・・・が取り付けられることにより第１の連結釦２４、２４、・・・に対する抜け止めが行われる。
【００９４】
第１の連結バー２４は、図９に示すように、略左右方向に延び前後方向を向く略板状に形成され、一端部（右端部）が連結部２５として設けられ、他端部（左端部）が結合部２６として設けられ、連結部２５と結合部２６の間の部分が中間部２７として設けられている。第１の連結バー２４は連結部２５が第１の操作釦２０の軸部２０ｂに連結されている。
【００９５】
結合部２６には上下両端部及び左端部にそれぞれ前方へ突出された囲い壁２８、２８、２９が設けられている。結合部２６には左右に貫通された挿入配置孔２６ａが形成されている。
【００９６】
中間部２７には前方へ突出された結合用突部２７ａが設けられている。
【００９７】
第２の操作釦２１は被押圧部２１ａと被押圧部２１ａから下方へ突出された軸部２１ｂとを有している（図６乃至図８参照）。第１の操作釦２１は軸部２１ｂに付勢バネ３０と防水リング３１が支持された状態で軸部２１ｂが第２の釦配置部４ｃに形成された軸挿通孔に挿通される。付勢バネ３０としては、例えば、圧縮コイルバネが用いられている。
【００９８】
第２の操作釦２１は付勢バネ３０によって上方へ付勢されている。また、防水リング３１によって第２の釦配置部４ｃに形成された軸挿通孔からのリアパネル４の内側への水分の侵入が防止されて防水が図られる。
【００９９】
第２の操作釦２１の軸部２１ｂの先端部（下端部）はリアパネル４の内側に位置されており、軸部２１ｂには作用部材３２が取り付けられている。第２の操作釦２１は軸部２１ｂの先端部にワッシャー２１ｃが取り付けられることにより作用部材３２に対する抜け止めが行われる。
【０１００】
作用部材３２はリアパネル４の内側に位置され、第２の操作釦２１の上下方向への移動に伴って上下方向へ移動される。作用部材３２には、上端部に左右に離隔して第１の作用部３２ａ、３２ａが設けられ、下端部に第２の作用部３２ｂが設けられている。第２の作用部３２ｂは前側の面が下方へ行くに従って後方へ変位するように傾斜されている。
【０１０１】
リアパネル４の上端部における左端部には第２の連結バー３３が回動自在に支持されている。第２の連結バー３３は、図１０に示すように、前後方向を向く略板状のベース面部３４とベース面部３４の上端部における左右両端部からそれぞれ上方へ突出された被作用突部３５、３５とベース面部３４の下端部から側方へ突出された結合部３６と被作用突部３５、３５を連結する回動軸３７とを有し、回動軸３７を支点として回動される。
【０１０２】
ベース面部３４には前方へ突出された結合用突部３４ａが設けられている。ベース面部３４の上端部における後側には上方に行くに従って前方へ変位するように傾斜された被作用面３４ｂが形成されている。
【０１０３】
結合部３６には左右に貫通された挿入配置孔３６ａが形成されている。結合部３６には挿入配置孔３６ａを前方から覆う位置に押さえ片部３６ｂが設けられている。
【０１０４】
結合部３６には右端部及び下端部にそれぞれ前方へ突出された囲い壁３８、３８が設けられている。
【０１０５】
リアパネル４の内部にはアタッチメント３９が取り付けられている（図３参照）。アタッチメント３９は、例えば、導電性を有する炭素繊維等の材料が含有されたシリコンゴム等によって形成されている。アタッチメント３９は、図７に示すように、保持枠部４０と保持枠部４０の内周縁に連続して設けられた押さえ部４１、４１と保持枠部４０の内周縁からそれぞれ内方へ突出された第１の操作レバー４２、４２、・・・及び第２の操作レバー４３とを有し、これらの各部が一体に形成されている。
【０１０６】
保持枠部４０はリアパネル４の外形より一回り小さい略矩形の枠状に形成され、周方向に離隔して位置する取付孔４０ａ、４０ａ、・・・を有している。
【０１０７】
押さえ部４１は保持枠部４０の内周縁の一部に連続して設けられ、内方へ行くに従って後方へ変位するように傾斜されている。
【０１０８】
第１の操作レバー４２は、図９に示すように、保持枠部４０側から順に設けられた機器接触部４４と傾斜連結部４５と平面連結部４６と接触操作部４７から成り、保持枠部４０に対して弾性変形可能とされている。機器接触部４４と傾斜連結部４５の境界部は他の部分より薄肉に形成されたヒンジ部４８として設けられている。
【０１０９】
機器接触部４４と傾斜連結部４５はそれぞれ内方へ行くに従って後方へ変位するように傾斜されている。
【０１１０】
平面連結部４６は前後方向を向き、結合孔４６ａを有している。
【０１１１】
接触操作部４７は前面が操作面４７ａとして形成され、操作面４７ａが電子機器１００のディスプレイ１０６に形成された被操作部１０６ａと略同じ大きさにされている。操作面４７ａは右方、即ち、平面連結部４６に近付くに従って後方へ変位するように傾斜されている（図１０参照）。接触操作部４７の左端部は他の部分より厚みが薄く形成された被保持突部４７ｂとして設けられている。
【０１１２】
第１の操作レバー４２は、図９及び図１０に示すように、接触操作部４７の被保持突部４７ｂが第１の連結バー２４の結合部２６に形成された挿入配置部２６ａに右方から挿入されて嵌合され前後方向において位置決めされる。また、接触操作部４７の被保持突部４７ｂ以外の部分が囲い壁２８、２８、２９の内側に嵌合されて第２の連結バー３３に対して上下方向及び左右方向において位置決めされる。このとき第１の操作レバー４２の結合孔４６ａに第１の連結バー２４の結合用突部２７ａが後方から挿入され、第１の操作レバー４２が第１の連結バー２４に対して上下方向及び左右方向において位置決めされる。
【０１１３】
第２の操作レバー４３は、図１１に示すように、保持枠部４０側から順に設けられた機器接触部４９と傾斜連結部５０と平面連結部５１と接触操作部５２から成り、保持枠部４０に対して弾性変形可能とされている。機器接触部４９と傾斜連結部５０の境界部はヒンジ部５３として設けられている。
【０１１４】
機器接触部４９と傾斜連結部５０はそれぞれ内方へ行くに従って後方へ変位するように傾斜されている。
【０１１５】
平面連結部５１は前後方向を向き、結合孔５１ａを有している。
【０１１６】
接触操作部５２は平面連結部５１の右側縁から右方へ突出され、前面が操作面５２ａとして形成ている。操作面５２ａは電子機器１００のディスプレイ１０６に形成された被操作部１０６ａと略同じ大きさにされている。操作面５２ａは上方、即ち、平面連結部５１に近付くに従って前方へ変位するように傾斜されている（図１２参照）。接触操作部５２の上半部における右半部は他の部分より厚みが薄く形成された被保持突部５２ｂとして設けられている。
【０１１７】
第２の操作レバー４３は、図１１及び図１２に示すように、接触操作部５２の被保持突部５２ｂが第２の連結バー３３の結合部３６に形成された挿入配置部３６ａに左方から挿入されて嵌合されて前後方向において位置決めされる。また、接触操作部５２が囲い壁３８、３８の内側に嵌合されて第２の連結バー３３に対して上下方向及び左右方向において位置決めされる。このとき第２の操作レバー４３の結合孔５１ａに第２の連結バー３３の結合用突部３４ａが後方から挿入され、第２の操作レバー４３が第２の連結バー３３に対して上下方向及び左右方向において位置決めされる。
【０１１８】
アタッチメント３９は取付用突部４ｄ、４ｄ、・・・がそれぞれ保持枠部４０の取付孔４０ａ、４０ａ、・・・に挿入されてリアパネル４の内部に取り付けられる。
【０１１９】
［電子機器の保持］
上記のように構成された防水ケース１に電子機器１００が以下のようにして保持される。
【０１２０】
先ず、リアパネル４が閉塞位置にある場合には、リアパネル４をフロントケース部３に対して開放位置まで回動させる。
【０１２１】
次に、開閉パネル１０２を開放した状態の電子機器１００をフロントケース部３に取り付けられた保持ケース１４に後方から挿入して配置する。電子機器１００は前面側の部分が保持ケース１４に保持される。
【０１２２】
次いで、リアパネル４をフロントケース部３に対して閉塞位置まで回動させ、バックル１８によってリアパネル４をフロントケース部３に対してロックすることにより電子機器１００が防水ケース１の内部に保持される。
【０１２３】
電子機器１００が防水ケース１に保持された状態においては、アタッチメント３９の保持枠部４０がリアパネル４の一部によって後方から押さえられ、電子機器１００の後面側の外周部がアタッチメント３９の保持枠部４０と押さえ部４１によって後方から押さえられ、電子機器１００の防水ケース１に対するガタツキが防止される。このとき電子機器１００の外筐１０１の外面にはアタッチメント３９の第１の操作レバー４２、４２、・・・の機器接触部４４、４４、・・・と第２の操作レバー４３の機器接触部４９とがそれぞれ押し付けられて接触される（図１３及び図１４参照）。
【０１２４】
機器接触部４４、４４、・・・、４９が押し付けられた外筐１０２の部分の直ぐ内側には接地回路に接続されたアース板１０７、１０７が配置されている。従って、アタッチメント３９が外筐２及びアース板１０７、１０７を介して接地回路に接地される。
【０１２５】
アタッチメント３９の機器接触部４４、４４、・・・、４９が外筐２に押し付けられた状態においては、機器接触部４４、４４、・・・、４９の外筐２に押し付けられた面と反対の面側にそれぞれ空間２００、２００が形成されている。
【０１２６】
電子機器１００の防水ケース１からの取出は、バックル１８によるロック状態を解除し、リアパネル４をフロントケース部３に対して開放位置まで回動させることにより行うことができる。
【０１２７】
［防水ケースにおける電子機器に対する操作］
以下に、防水ケース１における電子機器１００に対する操作について説明する（図１３乃至図１６参照）。
【０１２８】
防水ケース１に電子機器１００が保持された状態において、電源用釦８を押圧操作すると、電子機器１００の操作スイッチ（電源スイッチ）１０３が押圧されて電源の入力又は遮断が行われる。
【０１２９】
防水ケース１に電子機器１００が保持された状態において、押圧用レバー１０が押圧されて回動されると、シャッター用釦９が押圧突起１０ａに押圧されて操作され、電子機器１００の操作スイッチ（シャッタースイッチ）１０３が押圧されて被写体の撮影が行われる。
【０１３０】
第１の連結バー２４、２４、・・・にはそれぞれ第１の操作釦２０、２０、・・・の軸部２０ｂ、２０ｂ、・・・に支持された付勢バネ２３、２３、・・・によって前方への付勢力が付与されている。従って、第１の操作釦２０、２０、・・・に対する操作が行われていない非操作状態においては、付勢バネ２３、２３、・・・の付勢力によってそれぞれ第１の連結バー２４、２４、・・・がリアパネル４の内面に押し付けられた状態とされている。
【０１３１】
このように非操作状態において、第１の連結バー２４がリアパネル４の内面に押し付けられるため、第１の連結バー２４に結合された接触操作部４７の前後方向における位置精度が高く、接触操作部４７によって被操作部１０６ａが操作されたときの静電容量の変化を検出し易く、操作感度の向上を図ることができる。
【０１３２】
第２の操作釦２１と作用部材３２は、第２の操作釦２１に対する操作が行われていない非操作状態においては、付勢バネ３０の付勢力によって上方の移動端に位置され、作用部材３２の第１の作用部３２ａ、３２ａがそれぞれ第２の連結バー３３の被作用突部３５、３５にそれぞれ後方から接した状態とされている。
【０１３３】
このとき第２の連結バー３３には第２の操作釦２１の軸部２１ｂに支持された付勢バネ３０によって前方への付勢力が付与されている。従って、第２の操作釦２１に対する操作が行われていない非操作状態においては、付勢バネ３０の付勢力によって第２の連結バー３３がリアパネル４の内面に押し付けられた状態とされている。
【０１３４】
このように非操作状態において、第２の連結バー３３がリアパネル４の内面に押し付けられるため、第２の連結バー３３に結合された接触操作部５２の前後方向における位置精度が高く、接触操作部５２によって被操作部１０６ａが操作されたときの静電容量の変化を検出し易く、操作感度の向上を図ることができる。
【０１３５】
防水ケース１に電子機器１００が保持された状態において、第１の操作釦２０が押圧操作されると、図１５に示すように、第１の連結バー２４が前方へ移動され、第１の連結バー２４の移動に伴って第１の操作レバー４２がヒンジ部４８を支点として弾性変形されて接触操作部４７が前方へ移動される。接触操作部４７が前方へ移動されると、操作面４７ａがディスプレイ１０６に形成された被操作部１０６ａに押し付けられ面接触されて当該被操作部１０６ａが操作され、操作された被操作部１０６ａに応じた処理が実行される。
【０１３６】
このとき第１の連結バー２４の一端部（連結部２５）が第１の操作釦２０に連結され第１の連結バー２４の他端部（結合部２７）に第１の操作レバー４２の接触操作部４７が結合されているため、接触操作部４７において左端側の前後方向における移動量が右端側の前後方向における移動量より小さくなり易い。
【０１３７】
そこで、防水ケース１にあっては、上記したように、接触操作部４７の操作面４７ａが右方、即ち、平面連結部４６に近付くに従って後方へ変位するように傾斜されて被操作部１０６ａとの距離が大きくなるようにされている。
【０１３８】
従って、被操作部１０６ａに対する操作時に操作面４７ａが被操作部１０６ａに確実に面接触され、被操作部１０６ａの操作を確実に行うことができる。
【０１３９】
また、接触操作部４７の操作面４７ａの大きさが被操作部１０６ａの大きさと略同じにされているため、操作感度の向上が図られて接触操作部４７による被操作部１０６ａに対する確実な操作性を確保することができる。
【０１４０】
第１の操作レバー４２による操作が終了し第１の操作釦２０に対する押圧が解除されると、付勢バネ２２の付勢力によって第１の操作釦２０と第１の連結バー２４が後方へ移動され、第１の連結バー２４の移動に伴って第１の操作レバー４２がヒンジ部４８を支点として弾性復帰されて操作前の元の位置に戻る。
【０１４１】
上記のように、第１の操作レバー４２は弾性変形されて接触操作部４７が被操作部１０６ａに離接する方向へ移動されるため、簡単な構造により製造コストの低減を図った上で被操作部１０６ａに対する操作を行うことができる。
【０１４２】
また、第１の操作レバー４２の機器接触部４４が外筐２を介してアース板１０７に接続されて接地が図られているため、被操作部１０６ａに対する操作時に静電容量の変化の検出精度が向上するため、被操作部１０６ａに対する操作時における操作感度の向上を図ることができる。
【０１４３】
さらに、機器接触部４４の外筐２に押し付けられた面と反対の面側には空間２００が形成されているため、外筐２に押し付けられた機器接触部４４の動きが他の部材によって規制されることがない。従って、機器接触部４４によって接触操作部４７の動作に影響が及ぼされるおそれがないため、第１の操作レバー４２による被操作部１０６ａに対する操作時における動作の信頼性の向上を図ることができる。
【０１４４】
さらにまた、第１の操作レバー４２が機器接触部４４と接触操作部４７の間に位置されたヒンジ部４８を支点として弾性変形されるため、接触操作部４７の動作に対して機器接触部４４が影響を及ぼすことがなく、被操作部１０６ａに対する操作時における第１の操作レバー４２の適正な動作状態を確保することができる。
【０１４５】
防水ケース１に電子機器１００が保持された状態において、第２の操作釦２１が押圧操作されると、図１６に示すように、作用部材３２が下方へ移動され、作用部材３２の第１の作用部３２ａ、３２ａがそれぞれ被作用突部３５、３５から離隔されると共に第２の作用部３２ｂの傾斜面がベース面部３４の被作用面３２ｂに摺接されて第２の連結バー３３が下端部が略前方へ移動される方向へ回動される。第２の連結バー３３が回動されると、第２の連結バー３３の回動に伴って第２の操作レバー４３がヒンジ部５３を支点として弾性変形されて接触操作部５２が前方へ移動される。接触操作部５２が前方へ移動されると、操作面５２ａがディスプレイ１０６に形成された被操作部１０６ａに押し付けられ面接触されて当該被操作部１０６ａが操作され、操作された被操作部１０６ａに応じた処理が実行される。
【０１４６】
このとき第２の連結バー３３が回動されるため、接触操作部５２において下端側の前後方向における移動量が上端側の前後方向における移動量より大きくなる。
【０１４７】
そこで、防水ケース１にあっては、上記したように、接触操作部５２の操作面５２ａが上方、即ち、平面連結部５１に近付くに従って前方へ変位するように傾斜されて被操作部１０６ａとの距離が小さくなるようにされている。
【０１４８】
従って、被操作部１０６ａに対する操作時に操作面５２ａが被操作部１０６ａに確実に面接触され、被操作部１０６ａの操作を確実に行うことができる。
【０１４９】
また、接触操作部５２の操作面５２ａの大きさが被操作部１０６ａの大きさと略同じにされているため、操作感度の向上が図られて接触操作部５２による被操作部１０６ａに対する確実な操作性を確保することができる。
【０１５０】
第２の操作レバー４３による操作が終了し第２の操作釦２１に対する押圧が解除されると、付勢バネ３０の付勢力によって第２の操作釦２１と作用部材３２が後方へ移動される。作用部材３２が移動されると、第２の作用部３２ｂがベース面部３４の被作用面３４ｂから離隔されると共に第１の作用部３２ａ、３２ａがそれぞれ被作用突部３５、３５に摺接されて第２の連結バー３３が下端部が略後方へ移動される方向へ回動されて元の位置に戻る。第２の連結バー３３が回動されると、第２の連結バー３３の回動に伴って第２の操作レバー４３がヒンジ部５３を支点として弾性復帰されて操作前の元の位置に戻る。
【０１５１】
上記のように、第２の操作レバー４３は弾性変形されて接触操作部５２が被操作部１０６ａに離接する方向へ移動されるため、簡単な構造により製造コストの低減を図った上で被操作部１０６ａに対する操作を行うことができる。
【０１５２】
また、第２の操作レバー４３の機器接触部４９が外筐２を介してアース板１０７に接続されて接地が図られているため、被操作部１０６ａに対する操作時に静電容量の変化の検出精度が向上するため、被操作部１０６ａに対する操作時における操作感度の向上を図ることができる。
【０１５３】
さらに、機器接触部４９の外筐２に押し付けられた面と反対の面側には空間２００が形成されているため、外筐２に押し付けられた機器接触部４９の動きが他の部材によって規制されることがない。従って、機器接触部４９によって接触操作部５２の動作に影響が及ぼされるおそれがないため、第２の操作レバー４３による被操作部１０６ａに対する操作時における動作の信頼性の向上を図ることができる。
【０１５４】
さらにまた、第２の操作レバー４３が機器接触部４９と接触操作部５２の間に位置されたヒンジ部５３を支点として弾性変形されるため、接触操作部５２の動作に対して機器接触部４９が影響を及ぼすことがなく、被操作部１０６ａに対する操作時における第２の操作レバー４３の適正な動作状態を確保することができる。
【０１５５】
［まとめ］
以上に記載した通り、防水ケース１にあっては、第１の操作レバー４２と第２の操作レバー４３の接触操作部４７、５２がそれぞれ操作面４７ａ、５２ａを有し被操作部１０６ａ、１０６ａに対して離接する方向へ移動される。また、接触操作部４７、５２の被保持突部４７ｂ、５２ｂがそれぞれ上記した離接する方向に直交する方向において結合部２６、３６の挿入配置孔２６ａ、３６ａに挿入されて嵌合されている。
【０１５６】
従って、操作状態において、被操作部１０６ａ、１０６ａに操作面４７ａ、５２ａが面接触されて被操作部１０６ａ、１０６ａが操作される。また、接触操作部４７、５２の上記した離接する方向における位置精度が高くなり非操作状態において接触操作部４７、５２が被操作部１０６ａ、１０６ａに対して常に一定の距離をとって保持されるため、操作感度の向上を図ることができる。
【０１５７】
尚、上記には、第１の操作レバー４２と第２の操作レバー４３にそれぞれ被保持突部４７ｂ、５２ｂを設け第１の連結バー２４と第２の連結バー３３にそれぞれ挿入配置孔２６ａ、３６ａを形成した例を示した。しかしながら、逆に、第１の操作レバーと第２の操作レバーにそれぞれ挿入用の孔を形成し第１の連結バーと第２の連結バーにそれぞれ突部を設け、突部を挿入用の孔に挿入し第１の操作レバーと第２の操作レバーの一部を第１の連結バーと第２の連結バーにそれぞれ嵌合するようにしてもよい。
【０１５８】
また、第１の操作レバー４２と第２の操作レバー４３はそれぞれ結合孔４６ａ、５１ａに結合用突部２７ａ、３４ａが挿入されて第１の連結バー２４と第２の連結バー３３に結合されている。
【０１５９】
従って、接触操作部４７、５２の被操作部１０６ａ、１０６ａに対する上記した離接する方向に直交する方向における位置精度も高くなり、操作状態において接触操作部４７、５２の操作面４７ａ、５２ｂがそれぞれ被操作部１０６ａ、１０６ａに確実に接触され、操作感度の一層の向上を図ることができる。
【０１６０】
尚、上記には、第１の操作レバー４２と第２の操作レバー４３にそれぞれ結合孔４６ａ、５１ａを形成し第１の連結バー２４と第２の連結バー３３にそれぞれ結合用突部２７ａ、３４ａを設けた例を示した。しかしながら、逆に、第１の操作レバーと第２の操作レバーにそれぞれ結合用突部を設け第１の連結バーと第２の連結バーにそれぞれ結合孔を形成し、第１の操作レバーと第２の操作レバーを第１の連結バーと第２の連結バーにそれぞれ結合するようにしてもよい。
【０１６１】
また、第１の操作レバー４２と第２の操作レバー４３は接触操作部４７、５２がそれぞれ第１の連結バー２４と第２の連結バー３３に設けられた囲い壁２８、２８、２９、３８、３８によって外周側から囲われて位置が規制されている。
【０１６２】
従って、接触操作部４７、５２の被操作部１０６ａ、１０６ａに対する上記した離接する方向に直交する方向における位置精度が一層高くなり、操作状態において接触操作部４７、５２の操作面４７ａ、５２ｂがそれぞれ被操作部１０６ａ、１０６ａに確実に接触され、操作感度の一層の向上を図ることができる。
【０１６３】
さらに、防水ケース１には、電子機器１００の外周部を押さえる保持枠部４０と第１の操作レバー４２、４２、・・・と第２の操作レバー４３がアタッチメント３９として一体に形成されている。従って、保持枠部４０によって電子機器１００のケース体２の内部でのガタツキが防止されると共に部品点数の削減を図ることができる。
【０１６４】
［本技術］
本技術は、以下のような構成とすることもできる。
【０１６５】
（１）静電容量方式によって操作される被操作部が形成されたタッチパネルを有する電子機器を内部に保持するケース体と、前記ケース体に移動自在に支持され前記ケース体の外部から操作が可能な操作釦と、結合部を有すると共に前記操作釦に連結され前記操作釦の操作に伴って前記ケース体の内部において移動される連結バーと、前記被操作部に対向して位置される操作面が形成された接触操作部を有し前記操作面が前記被操作部に接触されて前記被操作部を操作する操作レバーとを備え、前記操作釦の操作に伴う前記連結バーの移動に伴って前記操作レバーが動作されて前記接触操作部が前記被操作部に対して離接する方向へ移動され、前記接触操作部の一部が前記離接する方向に直交する方向において前記結合部に嵌合された防水ケース。
【０１６６】
（２）前記連結バーに結合用突部又は結合孔の一方が形成され、前記操作レバーに前記結合用突部又は前記結合孔の他方が形成され、前記結合用突部が前記結合孔に挿入されて前記操作レバーの前記連結バーに対する前記離接する方向に直交する方向における位置が規制されるようにした前記（１）に記載の防水ケース。
【０１６７】
（３）前記操作釦に付勢バネが支持され、前記付勢バネの付勢力が前記連結バーに伝達され、前記操作釦が操作されない非操作状態において前記連結バーが前記付勢バネの付勢力によって前記ケース体の内面に押し付けられるようにした前記（１）又は前記（２）に記載の防水ケース。
【０１６８】
（４）前記連結バーの結合部に前記接触操作部を外周側から囲って前記結合部に対する前記接触操作部の位置を規制する囲い壁を設けた前記（１）から前記（３）の何れかに記載の防水ケース。
【０１６９】
（５）前記連結バーが前記離接する方向に直交する方向に延びる形状に形成され、前記連結バーの長手方向における一端部が前記操作釦に連結され、前記連結バーの長手方向における他端部に前記結合部が設けられ、前記接触操作部の操作面が前記他端部から前記一端部に近付くに従って前記被操作部との距離が大きくなる傾斜面に形成された前記（１）から前記（４）の何れかに記載の防水ケース。
【０１７０】
（６）前記接触操作部の操作面の大きさが前記被操作部の大きさと略同じにされた前記（１）から前記（５）の何れかに記載の防水ケース。
【０１７１】
（７）前記操作レバーが弾性変形されて前記接触操作部が前記離接する方向へ移動されるようにした前記（１）から前記（６）の何れかに記載の防水ケース。
【０１７２】
（８）前記電子機器の外周部を押さえる保持枠部が設けられ、前記保持枠部と前記操作レバーが一体に形成された前記（１）から前記（７）の何れかに記載の防水ケース。
【０１７３】
（９）前記電子機器の内部に接地回路に接続されたアース板が配置され、前記操作レバーに、前記アース板に対向する位置において前記電子機器の外面に接触される機器接触部を設けた前記（１）から前記（８）の何れかに記載の防水ケース。
【０１７４】
（１０）前記機器接触部における前記電子機器の外面に接触される面と反対の面側に空間を形成した前記（９）に記載の防水ケース。
【０１７５】
（１１）前記操作レバーが弾性変形されて前記接触操作部が前記離接する方向へ移動され、前記接触操作部と前記機器接触部の間に前記操作レバーの変形支点として機能するヒンジ部を設けた前記（９）又は前記（１０）に記載の防水ケース。
【０１７６】
上記した技術の最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０１７７】
【図１】図２乃至図１６と共に本技術防水ケースの実施の形態を示すものであり、本図は、防水ケースに保持される電子機器の斜視図である。
【図２】防水ケースに保持される電子機器を図１とは異なる方向から見た状態で示す斜視図である。
【図３】防水ケースの内部構造を電子機器と共に示す斜視図である。
【図４】防水ケースの正面図である。
【図５】防水ケースの背面図である。
【図６】操作釦と連結バーと操作レバーと作用部材とアタッチメントを示す拡大斜視図である。
【図７】操作釦と連結バーと操作レバーと作用部材とアタッチメントを示す拡大分解斜視図である。
【図８】操作釦と連結バーと操作レバーと作用部材とアタッチメントを図７とは異なる方向から見た状態で示す拡大分解斜視図である。
【図９】第１の連結バーと第１の操作レバーを示す拡大分解斜視図である。
【図１０】第１の連結バーと第１の操作レバーが結合された状態を示す拡大断面図である。
【図１１】第２の連結バーと第２の操作レバーを示す拡大分解斜視図である。
【図１２】第２の連結バーと第２の操作レバーが結合された状態を示す拡大断面図である。
【図１３】第１の操作レバーが被操作部に接触される前の状態を示す概略拡大断面図である。
【図１４】第２の操作レバーが被操作部に接触される前の状態を示す概略拡大断面図である。
【図１５】第１の操作レバーが被操作部に接触されて操作された状態を示す概略拡大断面図である。
【図１６】第２の操作レバーが被操作部に接触されて操作された状態を示す概略拡大断面図である。
【符号の説明】
【０１７８】
１００…電子機器、１０６ａ…被操作部、１０７…アース板、１…防水ケース、２…ケース体、２０…第１の操作釦、２１…第２の操作釦、２２…付勢バネ、２４…第１の連結バー、２６…結合部、２７ａ…結合用突部、２８…囲い壁、２９…囲い壁、３０…付勢バネ、３３…第２の連結バー、３４ａ…結合用突部、３５…被作用突部、３６…結合部、３８…囲い壁、４０…保持枠部、４２…第１の操作レバー、４３…第２の操作レバー、４６ａ…結合孔、４７…接触操作部、４７ａ…操作面、４８…ヒンジ部、５１ａ…結合孔、５２…接触操作部、５２ａ…操作面、５３…ヒンジ部、２００…空間
【図１】
2012252279.tif 000003
【図２】
2012252279.tif 000004
【図３】
2012252279.tif 000005
【図４】
2012252279.tif 000006
【図５】
2012252279.tif 000007
【図６】
2012252279.tif 000008
【図７】
2012252279.tif 000009
【図８】
2012252279.tif 000010
【図９】
2012252279.tif 000011
【図１０】
2012252279.tif 000012
【図１１】
2012252279.tif 000013
【図１２】
2012252279.tif 000014
【図１３】
2012252279.tif 000015
【図１４】
2012252279.tif 000016
【図１５】
2012252279.tif 000017
【図１６】
2012252279.tif 000018